(57)【要約】【課題】利用者の属性に応じて適切な誘導を行うことができるエレベーターの利用者誘導システムを提供する。【解決手段】エレベーターの利用者誘導システムは、エレベーターのかごまたは乗場に設けられ、識別体から属性の情報を示す情報を読み取る読取装置と、前記かごまたは前記乗場に設けられ、前記かごまたは前記乗場において領域を提示する領域提示装置と、前記読取装置に読み取られた属性の情報に応じて領域の提示の位置が変化するように前記領域提示装置を制御する制御装置と、を備えた。【選択図】図１
2018008788.tif 000002
【特許請求の範囲】
【請求項１】
エレベーターのかごまたは乗場に設けられ、識別体から属性の情報を示す情報を読み取る読取装置と、
前記かごまたは前記乗場に設けられ、前記かごまたは前記乗場において領域を提示する領域提示装置と、
前記読取装置に読み取られた属性の情報に応じて領域の提示の位置が変化するように前記領域提示装置を制御する制御装置と、
を備えたエレベーターの利用者誘導システム。
【請求項２】
前記読取装置は、前記乗場に設けられ、
前記領域提示装置は、前記かごに設けられ、
前記制御装置は、前記読取装置に読み取られた属性の情報に基づいて当該属性の利用者が前記乗場から前記かごに乗り込むことを許可するか否かを判定し、当該利用者が前記乗場から前記かごに乗り込むことを許可した場合に当該属性の情報に応じて前記かごの内部における領域の提示の位置が変化するように前記領域提示装置を制御する請求項１に記載のエレベーターの利用者誘導システム。
【請求項３】
前記制御装置は、前記読取装置が複数の識別体から属性の情報を読み取った場合に、前記複数の識別体の属性の情報に応じて前記かごの内部における複数の領域が異なる色で提示されるように前記領域提示装置を制御する請求項２に記載のエレベーターの利用者誘導システム。
【請求項４】
前記制御装置は、前記かごの内部の混雑状況に応じて前記かごの内部における領域の提示の位置が変化するように前記領域提示装置を制御する請求項２または請求項３に記載のエレベーターの利用者誘導システム。
【請求項５】
前記制御装置は、前記読取装置に読み取られた属性の情報と前記読取装置が設けられた乗場の呼びまたは前記かごの呼びの情報とを対応付けて記憶し、複数の呼びの情報が記憶されている場合に複数の呼びの各々に対応した属性に応じて前記複数の呼びに対して前記かごを応答させる際の順番を決定する請求項１から請求項４のいずれか１項に記載のエレベーターの利用者誘導システム。
【請求項６】
前記制御装置は、前記読取装置に読み取られた情報が介助を要する情報である場合に介助の可否を回答する方法を示す情報を前記かごに設けられたかご側報知装置に報知させ、介助が可能であるとの回答が得られた場合に前記かごに乗り込む際に介助を受けることができることを示す情報を前記乗場に設けられた乗場側報知装置に報知させる請求項２から請求項４のいずれか１項に記載のエレベーターの利用者誘導システム。
【請求項７】
前記制御装置は、前記読取装置に読み取られた情報が介助を要する情報である場合に前記乗場の利用者が前記かごに乗り込む際に介助を要することを示す情報を前記乗場に設けられた乗場側報知装置に報知させる請求項２から請求項４のいずれか１項に記載のエレベーターの利用者誘導システム。
【請求項８】
エレベーターの乗場に設けられ、識別体から情報を読み取る読取装置と、
前記読取装置に読み取られた情報が介助を要する情報である場合に介助の可否を回答する方法を示す情報を前記エレベーターのかごに設けられたかご側報知装置に報知させ、介助が可能であるとの回答が得られた場合に前記かごに乗り込む際に介助を受けることができることを示す情報を前記乗場に設けられた乗場側報知装置に報知させる制御装置と、
を備えたエレベーターの利用者誘導システム。
【請求項９】
エレベーターの乗場に設けられ、識別体から情報を読み取る読取装置と、
前記読取装置に読み取られた情報が介助を要する情報である場合に前記乗場の利用者が前記エレベーターのかごに乗り込む際に介助を要することを示す情報を前記乗場に設けられた乗場側報知装置に報知させる制御装置と、
を備えたエレベーターの利用者誘導システム。
【発明の詳細な説明】
【技術分野】
【０００１】
この発明は、エレベーターの利用者誘導システムに関する。
【背景技術】
【０００２】
特許文献１は、エレベーターの利用者誘導システムを開示する。当該利用者誘導システムは、車椅子の利用者の乗降を誘導する。
【先行技術文献】
【特許文献】
【０００３】
【特許文献１】特開２００４−１０２６４号公報
【発明の概要】
【発明が解決しようとする課題】
【０００４】
しかしながら、特許文献１に記載の利用者誘導システムは、画一的な方法で車椅子の利用者を誘導する。このため、車椅子の大きさ等によっては、適切に誘導できないこともある。
【０００５】
この発明は、上述の課題を解決するためになされた。この発明の目的は、利用者の属性に応じて適切な誘導を行うことができるエレベーターの利用者誘導システムを提供することである。
【課題を解決するための手段】
【０００６】
この発明に係るエレベーターの利用者誘導システムは、エレベーターのかごまたは乗場に設けられ、識別体から属性の情報を示す情報を読み取る読取装置と、前記かごまたは前記乗場に設けられ、前記かごまたは前記乗場において領域を提示する領域提示装置と、前記読取装置に読み取られた属性の情報に応じて領域の提示の位置が変化するように前記領域提示装置を制御する制御装置と、を備えた。
【発明の効果】
【０００７】
この発明によれば、領域の提示の位置は、識別体の属性の情報に応じて変化する。このため、利用者が誘導される位置は、識別体の属性に応じて変化する。その結果、利用者の属性に応じて適切な誘導を行うことができる。
【図面の簡単な説明】
【０００８】
【図１】この発明の実施の形態１におけるエレベーターの利用者誘導システムが適用されるエレベーターの構成図である。
【図２】この発明の実施の形態１におけるエレベーターの利用者誘導システムの制御装置のブロック図である。
【図３】この発明の実施の形態１におけるエレベーターの利用者誘導システムのかご側領域提示装置を説明するための斜視図である。
【図４】この発明の実施の形態１におけるエレベーターの利用者誘導システムによる領域の提示の具体例を示す図である。
【図５】この発明の実施の形態１におけるエレベーターの利用者誘導システムの制御装置の動作の一部を説明するためのフローチャートである。
【図６】この発明の実施の形態１におけるエレベーターの利用者誘導システムの制御装置のハードウェア構成図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略される。
【００１０】
実施の形態１．
図１はこの発明の実施の形態１におけるエレベーターの利用者誘導システムが適用されるエレベーターの構成図である。
【００１１】
図１に示されるように、建築物は、複数の階を備える。建築物は、エレベーターを備える。
【００１２】
エレベーターの昇降路１は、建築物の各階を貫く。エレベーターの複数の乗場２の各々は、建築物の各階に設けられる。乗場２の各々は、昇降路１に対向する。エレベーターのかご３は、昇降路１の内部に設けられる。
【００１３】
複数の乗場ドア４の各々は、エレベーターのドアとして各階の乗場２の出入口に設けられる。かごドア５は、エレベーターのドアとしてかご３の出入口に設けられる。
【００１４】
複数の乗場呼び登録装置６の各々は、複数の乗場２の各々に設けられる。複数の乗場呼び登録装置６は、図示されない乗場呼びボタンを備える。複数の乗場側読取装置７の各々は、複数の乗場２の各々に設けられる。複数の乗場側領域提示装置８の各々は、複数の乗場２の各々に設けられる。複数の乗場側報知装置９の各々は、複数の乗場２の各々に設けられる。
【００１５】
かご操作盤１０は、かご３の内壁に設けられる。かご操作盤１０は、図示されない行先ボタンと図示されない戸開ボタンと図示されない戸閉ボタンとを備える。例えば、かご側読取装置１１は、かご３の内壁に設けられる。例えば、かご側領域提示装置１２は、かご３の天井に設けられる。例えば、かご側報知装置１３は、かご３の内壁に設けられる。
【００１６】
例えば、制御装置１４は、エレベーターの図示されない機械室に設けられる。例えば、制御装置１４は、昇降路１の内部に設けられる。
【００１７】
例えば、識別体１５は、利用者に携帯される。例えば、識別体１５は、利用者の図示されないペンダントに内蔵される。例えば、識別体１５は、利用者の車椅子１６ａに搭載される。例えば、識別体１５は、利用者の図示されないシルバーカーに搭載される。例えば、識別体１５は、利用者の図示されない電動カートに搭載される。例えば、識別体１５は、利用者の杖１６ｂに内蔵される。例えば、識別体１５は、利用者の図示されない松葉杖に内蔵される。
【００１８】
例えば、識別体１５は、居室の鍵である。例えば、識別体１５は、ＦｅｌｉＣａ（登録商標）である。例えば、識別体１５は、スマートフォンである。例えば、ＲＦＩＤである。
【００１９】
例えば、識別体１５は、属性の情報と介助の要否を示す情報とを予め記憶する。属性の情報は、利用者の属性を示す情報である。例えば、属性の情報は、一般の利用者を示す情報である。例えば、属性の情報は、車椅子の利用者の属性を示す情報である。この際、属性の情報は、車椅子の大きさを示す情報も含む。介助の要否を示す情報は、対応した利用者が介助を要するか否かを示す情報である。
【００２０】
エレベーターが運行される際、制御装置１４は、エレベーター全体の動作を制御する。例えば、乗場呼び登録装置６の乗場呼びボタンが押された場合、制御装置１４は、当該乗場呼び登録装置６が設けられた乗場２の呼びを登録する。例えば、かご操作盤１０の行先ボタンが押された場合、制御装置１４は、当該行先ボタンに対応した階の行先階とするかご３の呼びを登録する。制御装置１４は、登録された乗場２の呼びとかご３の呼び戸に基づいてかご３の走行を制御する。
【００２１】
例えば、乗場側読取装置７が識別体１５から属性の情報を読み取った場合、制御装置１４は、当該属性の情報に基づいて当該属性の利用者が当該乗場２からかご３に乗り込むことを許可するか否かを判定する。制御装置１４は、当該属性の利用者が当該乗場２からかご３に乗り込むことを許可する場合に当該乗場２の呼びを登録する。
【００２２】
この際、制御装置１４は、当該属性の情報に応じてかご３の内部における領域の提示の位置が変化するようにかご側領域提示装置１２を制御する。例えば、制御装置１４は、当該属性の情報に応じて光の照射位置が変化するようにかご側領域提示装置１２を制御する。
【００２３】
例えば、乗場側読取装置７が複数の識別体１５から属性の情報を読み取った場合、制御装置１４は、当該複数の識別体１５の属性の情報に基づいて当該複数の識別体１５に対応した利用者が当該乗場２からかご３に乗り込むことを許可するか否かを判定する。制御装置１４は、当該複数の識別体１５に対応した利用者が当該乗場２からかご３に乗り込むことを許可する場合に当該乗場２の呼びを登録する。
【００２４】
この際、制御装置１４は、当該複数の属性の情報に応じてかご３の内部における複数の領域が異なる色で提示されるようにかご側領域提示装置１２を制御する。例えば、制御装置１４は、当該属性の情報に応じてかご３の内部における複数の領域が異なる色の光で照射されるに当該かご側領域提示装置１２を制御する。
【００２５】
この際、制御装置１４は、当該複数の識別体１５に対応した利用者の各々に対応した色を当該乗場２の乗場側報知装置９およびかご側報知装置１３の少なくとも一方に報知させる。
【００２６】
例えば、制御装置１４は、かご側読取装置１１が識別体１５から読み取った属性の情報の数に基づいてかご３の内部の混雑状況を判定する。制御装置１４は、かご３の内部の混雑状況に応じてかご３の内部における領域の提示位置が変化するようにかご側領域提示装置１２を制御する。
【００２７】
例えば、かご３の内部が空の場合、制御装置１４は、かご３の床面の中央部が提示されるようにかご側領域提示装置１２を制御する。例えば、かご３の内部が混雑している場合、制御装置１４は、かご３の床面の一側部が提示されるようにかご側領域提示装置１２を制御する。
【００２８】
例えば、制御装置１４は、複数の乗場側読取装置７の各々とかご側読取装置１１とが識別体１５から読みとった属性の情報に基づいて利用者の乗降順を判定する。制御装置１４は、利用者の乗降順に応じてかご３の内部における領域の提示位置が変化するようにかご側領域提示装置１２を制御する。
【００２９】
例えば、車椅子１６ａの利用者が一般の利用者よりも先にかご３から降りる場合、制御装置１４は、かご３の前部が提示されるようにかご側領域提示装置１２を制御する。例えば、車椅子１６ａの利用者が一般の利用者よりも後にかご３から降りる場合、制御装置１４は、かご３の後部が提示されるようにかご側領域提示装置１２を制御する。
【００３０】
例えば、制御装置１４は、複数の乗場側読取装置７の各々が識別体１５から読み取った属性の情報と当該乗場２の呼びの情報とを対応付けて記憶する。例えば、制御装置１４は、かご側読取装置１１が識別体１５から読み取った属性の情報とかご３の呼びの情報とを対応付けて記憶する。制御装置１４は、複数の呼びの情報が記憶されている場合に複数の呼びの各々に対応した属性に応じて複数の呼びに対してかご３を応答させる際の順番を決定する。
【００３１】
例えば、車椅子１６ａの利用者がかご３の前部に乗っている場合、制御装置１４は、一般の利用者に対応した乗場２の呼びにかご３を応答させない。例えば、車椅子１６ａの利用者がかご３の後部に乗っている場合、制御装置１４は、一般の利用者に対応した乗場２の呼びにかご３を応答させる。
【００３２】
例えば、乗場側読取装置７が識別体１５から介助を要する情報を読み取った場合、制御装置１４は、かご内利用者が介助の可否を回答する方法を示す情報をかご側報知装置１３に報知させる。例えば、制御装置１４は、介助が可能であることを回答するために戸開ボタンを押し続けることを促す情報をかご側報知装置１３に報知させる。例えば、制御装置１４は、介助が不可能であることを回答するために戸開ボタンを断続的に押すことを促す情報をかご側報知装置１３に報知させる。
【００３３】
介助が可能であるとの回答が得られた場合、制御装置１４は、かご３に乗り込む際に介助を受けることができることを示す情報を当該乗場２に設けられた乗場側報知装置９に報知させる。
【００３４】
例えば、乗場側読取装置７が識別体１５から介助を要する情報を読み取った場合、制御装置１４は、当該乗場２の利用者がかご３に乗り込む際に介助を要することを示す情報を乗場２に設けられた乗場側報知装置９に報知させる。
【００３５】
次に、図２を用いて、制御装置１４の各部を説明する。
図２はこの発明の実施の形態１におけるエレベーターの利用者誘導システムの制御装置のブロック図である。
【００３６】
図２に示されるように、制御装置１４は、記憶部１４ａと走行制御部１４ｂと領域提示制御部１４ｃとを備える。
【００３７】
例えば、記憶部１４ａは、複数の乗場側読取装置７の各々が識別体１５から読み取った属性の情報と当該乗場２の呼びの情報とを対応付けて記憶する。例えば、記憶部１４ａは、かご側読取装置１１が識別体１５から読み取った属性の情報とかご３の呼びの情報とを対応付けて記憶する。
【００３８】
例えば、走行制御部１４ｂは、記憶部１４ａに記憶された乗場２の呼びの情報とかご３の情報とに基づいてかご３の走行を制御する。例えば、走行制御部１４ｂは、複数の呼びの情報が記憶部１４ａに記憶されている場合に複数の呼びの各々に対応した属性に応じて複数の呼びに対してかご３を応答させる際の順番を決定する。
【００３９】
例えば、領域提示制御部１４ｃは、乗場側読取装置７またはかご側読取装置１１に読み取られた属性の情報に応じて領域の提示の位置が変化するように乗場側領域提示装置８またはかご側領域提示装置１２を制御する。
【００４０】
次に、図３を用いて、かご側領域提示装置１２を説明する。
図３はこの発明の実施の形態１におけるエレベーターの利用者誘導システムのかご側領域提示装置を説明するための斜視図である。
【００４１】
図３に示されるように、かご側領域提示装置１２は、かご３の床面に向けて光を照射する。その結果、かご３の床面の一領域は、他の領域よりも明るく提示される。例えば、かご３の床面の前部は、他部よりも明るく提示される。
【００４２】
利用者は、図３において図示されない乗場２からかご３に乗り込む際にかご３の床面において明るく提示された領域に誘導される。
【００４３】
次に、図４を用いて、かご３の内部における領域の提示の具体例を説明する。
図４はこの発明の実施の形態１におけるエレベーターの利用者誘導システムによる領域の提示の具体例を示す図である。
【００４４】
図４に示されるように、領域は、複数の種類の方法で提示され得る。例えば、図４の上段において、領域は、少なくとも一つの矢印を用いて提示される。例えば、図４の中段においては、領域は、少なくとも一つの矩形を用いて提示される。例えば、図４の下段においては、複数の円形または複数の楕円形を用いて提示される。
【００４５】
次に、図５を用いて、制御装置１４の動作の一部を説明する。
図５はこの発明の実施の形態１におけるエレベーターの利用者誘導システムの制御装置の動作の一部を説明するためのフローチャートである。
【００４６】
ステップＳ１では、制御装置１４は、乗場側読取装置７が識別体１５から属性の情報を読み取ったか否かを判定する。ステップＳ１で乗場側読取装置７が識別体１５から属性の情報を読み取っていない場合は、ステップＳ１が繰り返される。ステップＳ１で乗場側読取装置７が識別体１５から属性の情報を読み取った場合は、制御装置１４の動作は、ステップＳ２に進む。
【００４７】
ステップＳ２では、制御装置１４は、当該属性の情報に基づいて当該属性の利用者が当該乗場２からかご３に乗り込むことを許可するか否かを判定する。ステップＳ２で制御装置１４が当該属性の情報に基づいて当該属性の利用者が当該乗場２からかご３に乗り込むことを許可しない場合は、制御装置１４の動作は、ステップＳ１に戻る。ステップＳ２で制御装置１４が当該属性の情報に基づいて当該属性の利用者が当該乗場２からかご３に乗り込むことを許可する場合は、制御装置１４の動作は、ステップＳ３に進む。
【００４８】
ステップＳ３では、制御装置１４は、当該乗場２の呼びを登録する。その後、制御装置１４は、動作を終了する。
【００４９】
以上で説明した実施の形態１によれば、領域の提示の位置は、識別体１５の属性の情報に応じて変化する。このため、利用者が誘導される位置は、識別体１５の属性に応じて変化する。その結果、利用者の属性に応じて適切な誘導を行うことができる。例えば、車椅子の大きさに応じて適切な誘導を行うことができる。
【００５０】
また、制御装置１４は、乗場側読取装置７に読み取られた属性の情報に基づいて当該属性の利用者が当該乗場２からかご３に乗り込むことを許可するか否かを判定する。例えば、当該属性の利用者が乗り込む領域がかご３の内部に確保することができない場合、制御装置１４は、当該乗場２からかご３に乗り込むことを許可しない。このため、エレベーターの運行効率を向上することができる。
【００５１】
また、乗場側読取装置７が複数の識別体１５から属性の情報を読み取った場合に、かご３の内部における複数の領域は、複数の識別体１５の属性の情報に応じて異なる色で提示される。このため、複数の利用者に対して適切な誘導を行うことができる。
【００５２】
また、かご３の内部における領域の提示の位置は、かご３の内部の混雑状況に応じて変化する。このため、状況に応じて適切な誘導を行うことができる。
【００５３】
また、制御装置１４は、複数の呼びの各々に対応した属性に応じて複数の呼びに対してかご３を応答させる際の順番を決定する。このため、状況に応じてエレベーターを適切に運行することができる。
【００５４】
また、乗場側読取装置７が識別体１５から介助を要する情報を読み取った場合、制御装置１４は、介助の可否を回答する方法を示す情報をかご側報知装置１３に報知させる。介助が可能であるとの回答が得られた場合、制御装置１４は、かご３に乗り込む際に介助を受けることができることを示す情報を当該乗場２に設けられた乗場側報知装置９に報知させる。このため、介助を要する利用者は、当該乗場２に他の利用者がいない場合でもかご３が到着した際に介助を受けることができることを認識できる。その結果、介助を要する利用者に対して安心感を与えることができる。
【００５５】
また、乗場側読取装置７が識別体１５から介助を要する情報を読み取った場合、制御装置１４は、当該乗場２の利用者がかご３に乗り込む際に介助を要することを示す情報を乗場２に設けられた乗場側報知装置９に報知させる。このため、介助を要する利用者が自ら介助を要請することなく、他の利用者に対して自然に介助を促すことができる。
【００５６】
なお、乗場側領域提示装置８とかご側領域提示装置１２とは、点光源でも面光源でもよい。
【００５７】
また、かご側領域提示装置１２でかご３の床面と乗場２の床面とにおいて領域を提示してもよい。また、かご側領域提示装置１２で乗場２の床面のみにおいて領域を提示してもよい。
【００５８】
また、乗場側領域提示装置８で乗場２の床面と乗場ドア４とにおいて領域を提示してもよい。また、かご側領域提示装置１２でかご３の床面とかごドア５とにおいて領域を提示してもよい。この際、乗場側領域提示装置８とかご側領域提示装置１２とのうちの一方のみを動作させてもよい。乗場側領域提示装置８とかご側領域提示装置１２との双方を動作させてもよい。
【００５９】
また、乗場側領域提示装置８として、液晶等の表示体を乗場２の床面に設けてもよい。また、かご側領域提示装置１２として、液晶等の表示体をかご３の床面に設けてもよい。この際、乗場側領域提示装置８とかご側領域提示装置１２とのうちの一方のみを動作させてもよい。乗場側領域提示装置８とかご側領域提示装置１２との双方を動作させてもよい。
【００６０】
また、乗場側領域提示装置８を乗場２の壁面に設けてもよい。当該乗場側領域提示装置８で乗場２の床面において領域を提示してもよい。また、かご側領域提示装置１２をかご３の壁面に設けてもよい。当該かご側領域提示装置１２でかご３の床面において領域を提示してもよい。この際、乗場側領域提示装置８とかご側領域提示装置１２とのうちの一方のみを動作させてもよい。乗場側領域提示装置８とかご側領域提示装置１２との双方を動作させてもよい。
【００６１】
また、乗場側領域提示装置８を乗場２の壁面に設けてもよい。当該乗場側領域提示装置８で乗場ドア４において領域を提示してもよい。また、かご側領域提示装置１２をかご３の壁面に設けてもよい。当該かご側領域提示装置１２でかごドア５において領域を提示してもよい。この際、乗場側領域提示装置８とかご側領域提示装置１２とのうちの一方のみを動作させてもよい。乗場側領域提示装置８とかご側領域提示装置１２との双方を動作させてもよい。
【００６２】
また、乗場側領域提示装置８を乗場２の壁面に設けてもよい。当該乗場側領域提示装置８で乗場２の床面と乗場ドア４とにおいて領域を提示してもよい。また、かご側領域提示装置１２をかご３の壁面に設けてもよい。当該かご側領域提示装置１２でかご３の床面とかごドア５とにおいて領域を提示してもよい。この際、乗場側領域提示装置８とかご側領域提示装置１２とのうちの一方のみを動作させてもよい。乗場側領域提示装置８とかご側領域提示装置１２との双方を動作させてもよい。
【００６３】
また、乗場側領域提示装置８とかご側領域提示装置１２とにより、静止画像を提示してもよい。例えば、乗場側領域提示装置８とかご側領域提示装置１２とにより、同一色を提示してもよい。例えば、乗場側領域提示装置８とかご側領域提示装置１２とにより、進行方向を示す矢印を提示してもよい。例えば、乗場側領域提示装置８とかご側領域提示装置１２とにより、色を変えて進行方向を提示してもよい。例えば、乗場側領域提示装置８とかご側領域提示装置１２とにより、明るさを変えて進行方向を提示してもよい。例えば、乗場側領域提示装置８とかご側領域提示装置１２とにより、濃淡を変えて進行方向を示してもよい。
【００６４】
また、乗場側領域提示装置８とかご側領域提示装置１２とにより、動画像を提示してもよい。例えば、乗場側領域提示装置８とかご側領域提示装置１２とにより、時分割で提示範囲を移動させてもよい。例えば、乗場側領域提示装置８とかご側領域提示装置１２とにより、映像を放映してもよい。
【００６５】
実施の形態１の利用者誘導システムを駅のエレベーターに適用してもよい。
【００６６】
次に、図６を用いて、制御装置１４の例を説明する。
図６はこの発明の実施の形態１におけるエレベーターの利用者誘導システムの制御装置のハードウェア構成図である。
【００６７】
制御装置１４の各機能は、処理回路により実現し得る。例えば、処理回路は、少なくとも１つのプロセッサ１７ａと少なくとも１つのメモリ１７ｂとを備える。例えば、処理回路は、少なくとも１つの専用のハードウェア１８を備える。
【００６８】
処理回路が少なくとも１つのプロセッサ１７ａと少なくとも１つのメモリ１７ｂとを備える場合、制御装置１４の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１７ｂに格納される。少なくとも１つのプロセッサ１７ａは、少なくとも１つのメモリ１７ｂに記憶されたプログラムを読み出して実行することにより、制御装置１４の各機能を実現する。少なくとも１つのプロセッサ１７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１７ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００６９】
処理回路が少なくとも１つの専用のハードウェア１８を備える場合、処理回路は、例えば、単一回路、複合回路、プログラム化したプロセッサ、並列プログラム化したプロセッサ、ＡＳＩＣ、ＦＰＧＡ、又はこれらを組み合わせにより実現される。例えば、制御装置１４の各機能は、それぞれ処理回路で実現される。例えば、制御装置１４の各機能は、まとめて処理回路で実現される。
【００７０】
制御装置１４の各機能について、一部を専用のハードウェア１８で実現し、他部をソフトウェア又はファームウェアで実現してもよい。例えば、走行制御部１４ｂの機能については専用のハードウェア１８としての処理回路で実現し、走行制御部１４ｂの機能以外の機能については少なくとも１つのプロセッサ１７ａが少なくとも１つのメモリ１７ｂに格納されたプログラムを読み出して実行することにより実現してもよい。
【００７１】
このように、処理回路は、ハードウェア１８、ソフトウェア、ファームウェア、又はこれらの組み合わせによって、制御装置１４の各機能を実現する。
【符号の説明】
【００７２】
１  昇降路、  ２  乗場、  ３  かご、  ４  乗場ドア、  ５  かごドア、  ６  乗場呼び登録装置、  ７  乗場側読取装置、  ８  乗場側領域提示装置、  ９  乗場側報知装置、  １０  かご操作盤、  １１  かご側読取装置、  １２  かご側領域提示装置、  １３  かご側報知装置、  １４  制御装置、  １４ａ  記憶部、  １４ｂ  走行制御部、  １４ｃ  領域提示制御部、  １５  識別体、  １６ａ  車椅子、  １６ｂ  杖、  １７ａ  プロセッサ、  １７ｂ  メモリ、  １８  ハードウェア
【図１】
2018008788.tif 000003
【図２】
2018008788.tif 000004
【図３】
2018008788.tif 000005
【図４】
2018008788.tif 000006
【図５】
2018008788.tif 000007
【図６】
2018008788.tif 000008